(57)【要約】【課題】加熱調理器から外部に排出される臭気を脱臭すること。【解決手段】調理室の空気を送風手段により循環させ、循環経路内に臭気除去手段を取り付けた構成とし、調理室には調理室内の空気が吸い込まれる吸気口と、調理室内に空気が戻される吹出口と、調理室が温められ調理室の空気が膨張した際に外部に逃がすための排気口が設けられており、調理物内の調理物を調理するものである。臭気除去手段は調理室の加熱された空気が通過することで加熱され、十分な能力が出せる温度に上げられるため、調理物から出る臭気成分は臭気除去手段を通過することで減少することができる。【選択図】図１
2010252959.tif 000002
【特許請求の範囲】
【請求項１】
吸気口と吹出口を有すると共に被調理物を収容する調理室と、前記調理室に調理物を出し入れする開閉扉と、前記調理物の上面を加熱する上面加熱手段と、前記調理物の下面を加熱する下面加熱手段と、前記吸気口から前記調理室内の空気を吸引し前記吹出口から前記調理室内に空気を吹き出して前記調理室内の空気を循環させる送風手段とを備え、前記空気が循環する循環経路の一部に、前記空気に含まれる油煙や臭気成分を除去する臭気除去手段を配した加熱調理器。
【請求項２】
臭気除去手段は油煙や臭気成分を分解除去する触媒体と、前記触媒体を加熱する触媒加熱手段からなる構成とした請求項１に記載の加熱調理器。
【請求項３】
触媒体はセラミックまたは金属からなる構造体と、前記構造体の表面に形成された油煙や臭気成分を分解除去する触媒層からなる構成とした請求項１または２に記載の加熱調理器。
【請求項４】
触媒体を構成する構造体はハニカム状とした請求項３に記載の加熱調理器。
【請求項５】
触媒体は複数の孔を有する金属薄板と、前記金属薄板の表面に形成された油煙や臭気成分を分解除去する触媒層からなる構成とした請求項１または２に記載の加熱調理器。
【請求項６】
触媒体を構成する金属薄板はステンレス薄板をラス網状に加工した請求項５に記載の加熱調理器。
【請求項７】
触媒層はアルミナを主成分とする担体と、前記担体に担持した白金、パラジウム、ルテニウム、ロジウムの少なくとも１種と、前記担体を固定する結合材で構成した請求項３〜６のいずれか１項に記載の加熱調理器。
【発明の詳細な説明】
【技術分野】
【０００１】
本発明は、一般的な食材等の調理物の加熱調理を最適に行い、魚介類等の加熱調理により発生する油煙、臭気等を触媒等により除去するための手段を介した加熱調理器に関するものである。
【背景技術】
【０００２】
従来、この種の加熱調理器は調理物より排出された油煙や臭気が、調理器上部に取り付けられた脱臭用触媒で除去する構成としている（例えば、特許文献１参照）。
【０００３】
図６は、特許文献１に記載された従来の加熱調理器を示すものである。図６に示すように、従来の加熱調理器は調理室３１内の上側に設けられた上ヒータ３２と、調理室３１内の下側に設けられた下ヒータ３３と、上ヒータ３２及び下ヒータ３３の間に設けられた加熱調理容器３４の容器支持部３５と、加熱調理の対象となる食品３６を収容し、容器支持部３５に載置される透明耐熱ガラス製の加熱調理容器３４とを備え、上ヒータ３２及び下ヒータ３３に通電することにより、加熱調理容器３４内の食品３６を上下からの輻射熱で加熱調理するように構成されている。また加熱調理容器３４は、容器本体と蓋部からなり、蓋部に開口部３７が形成され、開口部３７に脱臭用触媒３８が設けられている。
【先行技術文献】
【特許文献】
【０００４】
【特許文献１】特開２００３−２１０３３４号公報
【発明の概要】
【発明が解決しようとする課題】
【０００５】
しかしながら、前記従来の構成では、脱臭用触媒が蓋部に設けられているだけであり、脱臭用触媒が最も効率的に働く食品に近い部分がヒータよりも遠い位置であり、脱臭用触媒が十分に加熱されていない。そのため食品から発生する臭気等を効果的に脱臭ができないという課題を有していた。また脱臭用触媒が食品と食品を加熱するためのヒータとの間に配置されており、上ヒータからの輻射熱が食品に伝わりにくい構成となっており、食品の調理性能が十分に得られないという課題も有していた。
【０００６】
本発明は、前記従来の課題を解決するもので、調理室内の空気を循環する循環経路に設けた臭気除去手段により、調理室から発生する油煙や臭気は除去することが可能である。臭気除去手段は調理室に付属した形で置くため、調理物の加熱を妨げず効果的に調理することができ、調理室からの油煙や臭気が外部に感じられない加熱調理器を提供することを目的とする。
【課題を解決するための手段】
【０００７】
前記従来の課題を解決するために、本発明の加熱調理器は、吸気口と吹出口を有すると共に被調理物を収容する調理室と、前記調理室に調理物を出し入れする開閉扉と、前記調理物の上面を加熱する上面加熱手段と、前記調理物の下面を加熱する下面加熱手段と、前記吸気口から前記調理室内の空気を吸引し前記吹出口から前記調理室内に空気を吹き出して前記調理室内の空気を循環させる送風手段とを備え、前記空気が循環する循環経路の一部に、前記空気に含まれる油煙や臭気成分を除去する臭気除去手段を配した加熱調理器としたものである。
【０００８】
これによって、臭気除去手段は調理室に付属する形で強制的に調理室内の空気を循環さ
せることで、調理室内の空気は臭気除去手段と接触する。調理物から発生する油煙や臭気は臭気除去手段を通過するときに、分解除去された後調理室内に排出され再び循環されることを繰り返すため、調理室からの油煙や臭気が外部に感じられない加熱調理器となる。
【発明の効果】
【０００９】
本発明の加熱調理器は、調理中に調理室から発生する油煙や臭気を臭気除去手段により除去する構成をとっており、臭気除去手段は循環経路の一部に置かれた構成としている。調理室から発生する油煙や臭気成分を含む空気は送風手段によって臭気除去手段を通過するときに分解除去される。また、分解除去された空気は調理室内に排出され再び循環を繰り返すため、油煙や臭気を効果的に脱臭装置に流すことができる。そのため、油煙や臭気の分解能力が高く外部に臭気を出さない加熱調理器とすることができる。
【図面の簡単な説明】
【００１０】
【図１】本発明の実施の形態１における加熱調理器の構成を示す構成図
【図２】本発明の実施の形態１における加熱調理器の炭化水素濃度を示すグラフ（１）
【図３】本発明の実施の形態１における加熱調理器の炭化水素濃度を示すグラフ（２）
【図４】本発明の実施の形態２における加熱調理器の構成を示す構成図
【図５】本発明の実施の形態２における加熱調理器の炭化水素濃度を示すグラフ
【図６】従来の加熱調理器の構成を示す構成図
【発明を実施するための形態】
【００１１】
第１の発明は、吸気口と吹出口を有すると共に被調理物を収容する調理室と、前記調理室に調理物を出し入れする開閉扉と、前記調理物の上面を加熱する上面加熱手段と、前記調理物の下面を加熱する下面加熱手段と、前記吸気口から前記調理室内の空気を吸引し前記吹出口から前記調理室内に空気を吹き出して前記調理室内の空気を循環させる送風手段とを備え、前記空気が循環する循環経路の一部に、前記空気に含まれる油煙や臭気成分を除去する臭気除去手段を配した加熱調理器とすることにより、調理室から発生する油煙や臭気を含む空気は送風手段によって臭気除去手段を通過するときに分解除去される。また、分解除去された空気は調理室内に排出され再び循環を繰り返すため、油煙や臭気を効果的に脱臭装置に流すことができる。そのため、油煙や臭気の分解能力が高く外部に臭気を出さない加熱調理器とすることができる。
【００１２】
第２の発明は、特に、第１の発明の臭気除去手段を油煙や臭気成分を分解除去する触媒体と、前記触媒体を加熱する触媒加熱手段からなる構成とした加熱調理器とすることにより、油煙や臭気を含む空気は前記触媒加熱手段で一層効率的に加熱された高温の臭気除去手段の触媒体によって、分解除去することができる。そのため、一層油煙や臭気の分解能力が高く外部に臭気を出さない加熱調理器とすることができる。
【００１３】
第３の発明は、特に、第１または第２の発明の触媒体をセラミックからなる構造体と、前記構造体の表面に形成された油煙や臭気成分を分解除去する触媒層からなる構成とした加熱調理器とすることにより、触媒を構成する構造体にセラミックを用いると比表面積が大きいために触媒層との密着が強くなり触媒体の脱臭能力を向上することができる。そのため、一層油煙や臭気の分解能力が高く外部に臭気を出さない加熱調理器とすることができる。
【００１４】
第４の発明は、特に、第３の発明の触媒体を構成する構造体がハニカム状である加熱調理器とすることにより、構造体がハニカム状であれば油煙や臭気成分を含む空気が流れやすくかつ、触媒体に接触する時間も長くなる。そのため、一層油煙や臭気の分解能力が高
く外部に臭気を出さない加熱調理器とすることができる。
【００１５】
第５の発明は、特に、第１または第２の発明の触媒体を複数の孔を有する金属薄板と、前記金属薄板の表面に形成された油煙や臭気成分を分解除去する触媒層からなる構成とした加熱調理器とすることにより、触媒を構成する構造体に金属を用いると熱伝導が優れているために、触媒体が加熱されやすい。そのため、一層油煙や臭気の分解能力が高く外部に臭気を出さない加熱調理器とすることができる。
【００１６】
第６の発明は、特に、第５の発明の触媒体を構成する金属薄板はステンレス薄板をラス網状に加工した加熱調理器とすることにより、金属薄膜がステンレス薄膜のラス網状であれば油煙や臭気成分を含む空気が触媒体に接触する確率が大幅に向上する。そのため、一層油煙や臭気の分解能力が高く外部に臭気を出さない加熱調理器とすることができる。
【００１７】
第７の発明は、特に、第３〜６のいずれか１つの発明の触媒層にアルミナを主成分とする担体と、前記担体に担持した白金、パラジウム、ルテニウム、ロジウムの少なくとも１種と、前記担体を固定する結合材で構成した加熱調理器とすることにより、調理室から発生する油煙や臭気の分解除去手段として、触媒が貴金属であるため除去能力を大きくすることができる。そのため、一層油煙や臭気の分解能力が高く外部に臭気を出さない加熱調理器とすることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における加熱調理器の構成図を示すものである。
【００２０】
図１において、本発明の加熱調理器１２は、受け皿６を備えた焼き網２上に載せた調理物３を収容する調理室１内に、調理物３の上面を加熱する上面加熱手段４と、下面を加熱する下面加熱手段５と、調理室１と調理室１内の空気を送風手段７により循環するものであり、臭気除去手段８は空気が循環する経路の一部に取り付けた構成としている。調理室１には調理室１内の空気が吸い込まれる吸気口９と、調理室１内に空気が戻される吹出口１０と、調理室１内が温められ調理室１の空気が膨張した際に外部に逃がすための排気口１１が設けられており、受け皿６に置かれた焼き網２の上に調理物３を置き調理するものである。
【００２１】
以上のように構成された加熱調理器１２について、以下その動作、作用を説明する。
【００２２】
まず、加熱調理器１２で調理を行う際、使用者が開閉扉１３の取手を引き出すと、それと連動して受け皿６が調理室１からスライドして引き出される。そこで受け皿６とともに出された焼き網２の上に魚等の調理物３を載せ、開閉扉１３の取手を押し、スライドさせて調理室１内に収納する。その後、図示しない操作部を操作することにより、調理物３を加熱する第１調理工程が開始する。第１調理工程が開始すると、図示しない制御手段が上面加熱手段４と下面加熱手段５に通電する工程が行われる。この工程では、調理室１内の空気温度は加熱時間に応じて高くなり、調理物３が加熱され始める。また底面の温度も加熱時間に応じて高くなる。そして、調理室１の温度が上限温度Ｔａになると、第２調理工程が開始する。この工程では、制御手段は上面加熱手段４と下面加熱手段５を調理室１の温度がＴａとなるように制御する。調理室１内の空気温度は一定に保たれるため、調理物３はさらに調理される。この段階では調理物３から油煙等が発生しはじめ、調理室１内に油煙等が充満し始める。油煙を含んだ調理室１内の空気は送風手段７により吸気口９から吸引され臭気除去手段８を通過後、吹出口１０より調理室１に戻され循環される。一方、
調理室１が温められることにより膨張した調理室１内の空気は排気口１１より排出される。また臭気除去手段８は調理室１の加熱された空気が通過することで加熱され、調理物３から出る油煙成分は臭気除去手段８を通過することで減少することができるわけである。
【００２３】
調理工程の時間が所定時間ｔ１になるまで、調理工程が行われると、制御手段は上面加熱手段４及び下面加熱手段５への通電を終了し、調理工程を終了する。そして、使用者は、取手を調理室１から引き出すことにより、加熱調理された調理物３取り出すことができる。
【００２４】
なお、調理工程の経過時間は制御手段に接続された図示しないタイマーでカウントするものである。
【００２５】
（実験１）
本発明の加熱調理器として、図１の加熱調理器を用いた。本発明の加熱調理器１Ａは臭気除去手段の触媒体としてセラミックからなるハニカム状の構造体の表面に、アルミナを主成分とする担体と担体に担持した白金からなる触媒層を形成した触媒体を用い、上面加熱手段と下面加熱手段としてシーズヒータを用いた。従来例の比較として図６の加熱調理器を用いた。従来例の加熱調理器１Ｂの触媒として１Ａと同じ触媒体を用いた。
【００２６】
加熱調理器１Ａ、１Ｂについて以下の手段を用いて評価を行った。加熱調理器の調理室に秋刀魚２匹を入れ、調理開始から経過時間ごとに調理終了まで、排気口より排出される臭気成分の総量として炭化水素濃度を測定した。結果を図２に示す。
【００２７】
図２から明らかなように、本発明の加熱調理器１Ａの方が、従来の加熱調理器１Ｂよりも、排出される炭化水素の濃度が低いことがわかる。特に本発明の加熱調理器１Ａは調理終盤の最も多くの油煙や臭気が発生するときでも、炭化水素濃度は低くなっており従来の加熱調理器１Ｂとの差は明らかである。これにより、本発明の加熱調理器は、油煙や臭気の発生量が多いときでも従来の加熱調理器よりも性能が高く、多くの油煙や臭気成分を処理できることがわかる。
【００２８】
（実験２）
本発明の加熱調理器として、図１の加熱調理器を用いた。加熱調理器２Ａは臭気除去手段の触媒体としてステンレス薄板をラス網状に加工した基材の表面に、アルミナを主成分とする担体と、担体に担持した白金からなる触媒層を形成した薄板を３枚重ねた触媒体を用い、上面加熱手段と下面加熱手段としてシーズヒータを用いた。また加熱調理器２Ｂは臭気除去手段の触媒体としてステンレス薄板をラス網状に加工した基材の表面に、アルミナを主成分とする担体と、担体に担持した白金からなる触媒層を形成した薄板を５枚重ねた触媒体を用い、加熱調理器２Ｃは脱臭装置の触媒体としてステンレス薄板をラス網状に加工した基材の表面に、アルミナを主成分とする担体と、担体に担持した白金からなる触媒層を形成した薄板を１枚用いた。
【００２９】
加熱調理器２Ａ、２Ｂ、２Ｃについて以下の手段を用いて評価を行った。加熱調理器の調理室に秋刀魚２匹を入れ、調理開始から経過時間ごとに調理終了まで、排気口より排出される臭気成分の総量として炭化水素濃度を測定した。結果を図３に示す。
【００３０】
図３から明らかなように、本発明の加熱調理器２Ａ、２Ｂ、２Ｃは、排出される炭化水素の濃度が一層低いことがわかる。特に本発明の加熱調理器２Ａ、２Ｂは調理終盤の最も多くの油煙や臭気が発生するときでも、炭化水素濃度は低くなっている。触媒体１枚の加熱調理器２Ｃでも効果は得られることがわかる。これにより、本発明の加熱調理器は、油煙や臭気の発生量が多いときでも従来の加熱調理器よりも性能が高く、多くの油煙や臭気
成分を処理できることがわかる。
【００３１】
（実験３）
本発明の加熱調理器として、図１の加熱調理器を用いた。加熱調理器３Ａは、触媒体としてセラミックからなるハニカム状の構造体とした。
【００３２】
加熱調理器３Ａについて、触媒を白金、パラジウム、ルテニウム、ロジウムと変えて、以下の手段を用いて評価を行った。加熱調理器の調理室に秋刀魚２匹を入れ、調理開始８分から調理終了（開始から１８分）まで、排気口より排出される臭気成分の総量として炭化水素濃度を測定し１０分間の平均値をもとめた。結果を表１に示す。
【００３３】
【表１】
2010252959.tif 000003
【００３４】
表１から明らかなように、本発明の加熱調理器３Ａを用いれば、触媒として、貴金属を用いれば排出される臭気成分である炭化水素の濃度が低いことがわかる。特に白金やパラジウムを用いたときにその活性は高く、炭化水素の濃度が低い。これにより、本発明の加熱調理器は、触媒として、白金、パラジウム、ルテニウム、ロジウムの貴金属を用いることで、多くの油煙や臭気成分を処理できることがわかる。
【００３５】
（実施の形態２）
図４は、本発明の第２の実施の形態における加熱調理器の構成図を示すものである。
【００３６】
図４において、本発明の加熱調理器２４は、実施の形態１の図１と同一の構成をしており、異なる点は臭気除去手段２１である。臭気除去手段２１は触媒体２２を取り付け、触媒体２２を加熱するための触媒加熱手段２３からなる構成としている。
【００３７】
本発明の加熱調理器として、図４の加熱調理器を用いた。本発明の加熱調理器４Ａは脱臭装置の触媒体としてセラミックからなるハニカム状の構造体の表面に、アルミナを主成分とする担体と担体に担持した白金からなる触媒層を形成した触媒体を用い、加熱調理器４Ｂは脱臭装置の触媒体としてステンレス薄板をラス網状に加工した基材の表面に、アルミナを主成分とする担体と、担体に担持した白金からなる触媒層を形成した薄板を３枚重ねた触媒体を用い、上面加熱手段、下面加熱手段、及び触媒加熱手段としてシーズヒータを用いた。
【００３８】
加熱調理器４Ａ、４Ｂについて以下の手段を用いて評価を行った。加熱調理器の調理室に秋刀魚２匹を入れ、調理開始から経過時間ごとに調理終了まで、排気口より排出される臭気成分の総量として炭化水素濃度を測定した。結果を図５に示す。
【００３９】
図５から明らかなように、本発明の加熱調理器４Ａ、４Ｂは、排出される炭化水素の濃度が一層低いことがわかる。特に本発明の加熱調理器４Ｂは調理終盤の最も多くの油煙や臭気が発生するときでも、炭化水素濃度は低くなっている。触媒体をハニカムとした加熱調理器４Ａでも十分な効果は得られることがわかる。これにより、本発明の加熱調理器は、油煙や臭気の発生量が多いときでも従来の加熱調理器よりも性能が高く、多くの油煙や臭気成分を処理できることがわかる。
【産業上の利用可能性】
【００４０】
以上のように、本発明にかかる加熱調理器は、調理室内の空気を送風手段により循環させる構成をとっており、その循環経路内に臭気除去手段を備えた構成としている。このような構成であれば、特に調理器の方式に関係なく適用することができ、また大型の調理器にも適用することができる。
【符号の説明】
【００４１】
１  調理室
２  焼き網
３  調理物
４  上面加熱手段
５  下面加熱手段
６  受け皿
７  送風手段
８  臭気除去手段
９  吸気口
１０  吹出口
１１  排気口
１２  加熱調理器
１３  開閉扉
２１  臭気除去手段
２２  触媒体
２３  触媒加熱手段
２４  加熱調理器
３１  調理室
３２  上ヒータ
３３  下ヒータ
３４  加熱調理容器
３５  容器支持部
３６  食品
３７  開口部
３８  脱臭用触媒
【図１】
2010252959.tif 000004
【図２】
2010252959.tif 000005
【図３】
2010252959.tif 000006
【図４】
2010252959.tif 000007
【図５】
2010252959.tif 000008
【図６】
2010252959.tif 000009